(57)【特許請求の範囲】
【請求項１】
発電電力を発生する発電電源と、前記発電電力を第１の昇圧電力に昇圧するＤＣ−ＤＣコンバータと、前記第１の昇圧電力を充電する蓄電素子と、前記蓄電素子の電力で駆動される負荷と、を有する電子機器であって、
前記ＤＣ−ＤＣコンバータは、
前記発電電源に接続された入力端子と、
前記蓄電素子に接続され、前記第１の昇圧電力を出力する第１の出力端子と、
前記入力端子に接続されたコイルと、
前記コイルに入力端子が接続され、前記第１の出力端子に出力端子が接続された第１の整流手段と、
前記コイルに接続されたスイッチ素子と、
前記スイッチ素子を駆動するスイッチング制御回路と、
前記第１の整流手段の出力端子に接続された第１の容量と、
前記第１の整流手段の入力端子に接続された第２の出力端子と、を備え、
前記第２の出力端子に接続された第２の整流手段で整流した第２の昇圧電力を、前記ＤＣ−ＤＣコンバータの電源とすることを特徴とする電子機器。
【請求項２】
前記第１の昇圧電力が前記蓄電素子へ充電される充電経路に、逆流防止回路を設けたことを特徴とする請求項１記載の電子機器。
【請求項３】
前記逆流防止回路は、前記第２の昇圧電力の電圧をモニターすることで、前記蓄電素子の蓄電電力が前記ＤＣ−ＤＣコンバータへ逆流する状態となったことを検出した場合に、前記充電経路を遮断することを特徴とする請求項２記載の電子機器。
【発明の詳細な説明】
【技術分野】
【０００１】
本発明は、昇圧型DC−ＤＣコンバータを有する電子機器に関する。
【背景技術】
【０００２】
近年、環境面から燃料電池や太陽電池、あるいは、ゼーベック効果を利用した熱発電素子等の発電電源が発生する発電電力利用が注目されている。しかし、燃料電池は、急激な負荷変動に対し発電電力が追従できないし、太陽電池や熱発電素子は、周囲の環境により発電電力量が変動してしまうので、これら発電電源の発電電力を直接負荷回路へ供給する場合、負荷回路を所望時に安定動作させることができない。従って、これら発電電源から出力される発電電力を一旦蓄電素子に蓄電し、この蓄電した電力で負荷を駆動するのが一般的である。
【０００３】
しかも、近年、これら発電電源は、携帯機器の電源に利用されるため、小型化が要求されるようになっており、これら発電電源を小型化するには、燃料電池や太陽電池はセル数を減少させる必要があるし、熱発電素子では、P型とN型の柱の直列本数を減少させる必要があり、これにより、これら発電電源が発生する発電電力の電圧は、蓄電素子の充電電圧未満となる場合が多く、これら発電電源が発生する発電電力を直接蓄電素子に充電することができない場合が多くなっている。
【０００４】
そこで、近年では、これら発電電源と蓄電素子の間に昇圧型DC−ＤＣコンバータを設け、この昇圧型DC−ＤＣコンバータで、これら発電電源が発生する低い電圧の発電電力を、蓄電素子の蓄電できる電圧まで昇圧した昇圧電力に変換し、この昇圧電力を蓄電素子に充電する方法が採用されている。
【０００５】
図６に、近年採用されている構成である発電電源が発生する発電電力を昇圧DC-DCを利用して蓄電素子に充電する構成を、従来の電子機器の一例として示す。
図６に示すように、従来の電子機器は、上記した燃料電池や太陽電池、あるいは、熱発電素子等の発電電力を発生する発電電源１０１と、この発電電源１０１が出力する発電電力を、この発電電力の電圧より高い電圧の昇圧電力に変換する昇圧型DC−ＤＣコンバータ１０２と、昇圧型DC−ＤＣコンバータ１０２が出力する昇圧電力を充電する蓄電素子１０３と、蓄電素子１０３の蓄電電力が昇圧型DC−ＤＣコンバータ１０２へ逆流するのを防止するショットキーダイオード４０１と、を有し、発電電源１０１の発電電力出力端子１０７は、昇圧型DC−ＤＣコンバータ１０２の入力端子１０８と接続され、昇圧型DC−ＤＣコンバータ１０２の出力端子１１１は、昇圧型DC−ＤＣコンバータ１０２の電源端子１０９とショットキーダイオード４０１のP型電極とに接続され、ショットキーダイオード４０１のN型電極は、蓄電素子１０３の充電端子１１２と接続された構成である（例えば、特許文献１参照）。
【０００６】
上記構成とすることにより、従来の電子機器は、発電電源の小型により、発電電源が発生する発電電力の電圧が蓄電素子の充電電圧を下回る場合でも、この発電電力を蓄電素子へ充電することが可能となる。
また、昇圧型DC−ＤＣコンバータの出力端子と電源端子が接続されているので、昇圧型DC−ＤＣコンバータは、自ら変換し発生させた昇圧電力の一部で動作することができる。これにより、発電電源が発生する発電電力で昇圧型DC−ＤＣコンバータを動作させるより、より高い電圧で昇圧型DC−ＤＣコンバータが駆動できるため、昇圧型DC−ＤＣコンバータの電力変換能力を向上することができるし、一旦、昇圧型DC−ＤＣコンバータが起動していれば、その後に、発電電源が発生する発電電力の電圧が、昇圧型DC−ＤＣコンバータが動作できる電圧未満となっても、この発電電力が昇圧型DC−ＤＣコンバータの動作電力より十分大きければ、昇圧型DC−ＤＣコンバータは、昇圧電力で動作を持続でできることが可能となり、この様な発電電力の場合でも、蓄電素子に充電することが可能となる。
さらに、ショットキーダイオードを設けることで、発電電源の発電が停止し、発電電力が発生しない場合に、蓄電素子の蓄電電力が昇圧型DC−ＤＣコンバータの電源端子へ逆流し、昇圧型DC−ＤＣコンバータの動作消費されてしまうことを防止できる。
【０００７】
つまり、上記構成の従来の電子機器は、発電電源の小型化により、この発電電源が発生する発電電力の電圧が蓄電素子の充電電圧を下回っても、蓄電素子にこの発電電力を充電可能であり、また、一旦昇圧型DC−ＤＣコンバータが起動していれば、発電電源が発生する発電電力の電圧が、昇圧型DC−ＤＣコンバータの動作電圧未満となっても、発電電力が十分な場合は、この発電電力を蓄電素子に充電可能であり、さらには、蓄電素子の蓄電電力が、負荷以外には消費されないといった特長を有することができる。
【特許文献１】特開２００４−１２０９５０（図６）
【発明の開示】
【発明が解決しようとする課題】
【０００８】
上記構成の従来の電子機器では、発電電源が発生する発電電力が低下、あるいは途絶えて、蓄電素子が充電されない場合に、蓄電素子の蓄電電力が昇圧型DC−ＤＣコンバータの駆動に消費されないようショットキーダイオードを設けてある。しかし、このショットキーダイオードには、順方向ドロップ電圧が発生するため、昇圧型DC−ＤＣコンバータの昇圧電力を蓄電素子に充電する際に、この順方向ドロップ電圧により、充電ロスが生じてしまう。この順方向ドロップ電圧により充電ロスは、蓄電素子の充電電圧が低いほど大きくなり、例えば蓄電素子の充電電圧が３．０Vの場合、通常のショットキーダイオードの順方向ドロップ電圧は０．２V程度あるので、約７％程度の充電ロスが発生してしまう。
【０００９】
また、上記構成の従来の電子機器では、上記したショットキーダイオードの代わりに、スイッチ素子を設けたり、昇圧型DC−ＤＣコンバータの出力端子から昇圧型DC−ＤＣコンバータの電源端子への電力供給経路にスイッチ素子を設けたりして、蓄電素子が充電されない場合に、このスイッチ素子をオフし、蓄電素子の蓄電電力が昇圧型DC−ＤＣコンバータの駆動に消費されるのを防止する方法も考案されているが、この方法では、蓄電素子に充電されない場合を検出する回路の構成が複雑となったり、この回路での消費電力が多くなったり、あるいは、確実にスイッチ素子を制御できなかったりして、逆に充電効率を低下させてしまう場合がある。
【００１０】
つまり、上記構成の従来の電子機器では、発電電源が発生する発電電力を蓄電素子へ充電する際の充電効率が低下してしまったり、この充電効率向上用に複雑な回路を付加するため、コストアップしてしまったりする課題があった。
【課題を解決するための手段】
【００１１】
そこで、本発明の電子機器では、第１の手段として、発電電力を発生する発電電源と、前記発電電力を、該発電電力の電圧より高い電圧の第１の昇圧電力に変換する昇圧型DC−ＤＣコンバータと、前記第１の昇圧電力を充電する蓄電素子と、を有し、前記昇圧型DC−ＤＣコンバータは、前記発電電力を該発電電力の電圧よりも高い電圧のパルス状昇圧電力に変換し、該パルス状昇圧電力を第１の整流手段で整流することで、前記第１の昇圧電力を発生する構成であり、さらに、前記パルス状昇圧電力を第２の整流手段で整流することで発生させた第２の昇圧電力で動作を持続する構成であることを特徴とする電子機器とした。
【００１２】
上記構成することで、上記従来の電子機器の課題であった充電効率の悪化や、コストアップを防止できる特長を有することができる。
【００１３】
また、本発明の電子機器では、第２の手段として、前記第１の昇圧電力が前記蓄電素子へ充電される充電経路にスイッチ素子を有する逆流防止回路を設け、該逆流防止回路は、前記第２の昇圧電力の電圧をモニターすることで、前記蓄電素子の蓄電電力が、前記昇圧型DC−ＤＣコンバータへ逆流する状態となったことを検出し、該状態となった場合に、前記スイッチ素子をオフすることで、前記蓄電素子の蓄電電力が、前記昇圧型DC−ＤＣコンバータへ逆流するのを防止する構成であることを特徴とする電子機器とした。
【００１４】
上記構成とすることで、前記第１の手段の特長に加え、前記蓄電素子の蓄電電力がより有効に利用できるようになる特長を有することができる。
【発明の効果】
【００１５】
以上述べてきたように、上記構成の本発明の電子機器は、前記従来の電子機器の昇圧型DC−ＤＣコンバータの出力端子と蓄電素子の充電端子間にショットキーダイオードを設ける場合の構成と比べ、このショットキーダイオードを無くし、昇圧型DC−ＤＣコンバータの出力端子と蓄電素子の充電端子とを直接接続しても、蓄電素子の蓄電電力が昇圧型DC−ＤＣコンバータの駆動に消費されることが無い。従って、前記従来の電子機器の特長に加え、このショットキーダイオードの順方向ドロップ電圧により発生する充電ロスを無くすことができるため、前記従来の電子機器よりも、充電効率が向上できる特長を有することができる。
【００１６】
また、前記従来の電子機器において、スイッチ素子で、蓄電素子の蓄電電力が昇圧型DC−ＤＣコンバータへ逆流するのを防止する場合の構成に比べ、このスイッチ素子を制御するための複雑な回路が必要ないので、コストダウンが可能となる特長を有することができる。
【発明を実施するための最良の形態】
【００１７】
【実施例】
【００１８】
図１は、本発明の第１の実施例に係わる電子機器の概略回路ブロック図である。
【００１９】
図１に示すように、燃料電池や太陽電池、あるいは、熱発電素子等の発電電力を発生する発電電源１０１と、この発電電源１０１が出力する発電電力を、この発電電力の電圧より高い電圧の第１の昇圧電力に変換する昇圧型DC−ＤＣコンバータ１０２と、昇圧型DC−ＤＣコンバータ１０２が出力する第１の昇圧電力を充電する蓄電素子１０３と、を有し、発電電源１０１の発電電力出力端子１０７は、昇圧型DC−ＤＣコンバータ１０２の入力端子１０８に接続され、昇圧型DC−ＤＣコンバータ１０２の出力端子１１１は、蓄電素子１０３の充電端子１１２に接続される構成であり、さらに、昇圧型DC−ＤＣコンバータ１０２は、入力端子１０８から入力された前記発電電力を、前記発電電力の電圧よりも高い電圧のパルス状昇圧電力に内部で変換し、このパルス状昇圧電力を内部の第１の整流手段で整流した電力を第１の昇圧電力として出力端子１１１から出力すると共に、前記パルス状昇圧電力をパルス状昇圧電力出力端子１１０から出力する構成であり、そしてさらに、昇圧型DC−ＤＣコンバータ１０２のパルス状昇圧電力出力端子１１０は、前記パルス状昇圧電力を整流するための第２の整流手段であるショットキーダイオード１０４のP型電極に接続され、上記ショットキーダイオード１０４のN型電極は、昇圧型DC−ＤＣコンバータ１０２の電源端子１０９に接続され、昇圧型DC−ＤＣコンバータ１０２の電源端子１０９とGND端子１０６間には、電源平滑容量１０５が接続された構成となっている。
【００２０】
上記構成とすることで、発電電源から出力される発電電力は、昇圧型DC−ＤＣコンバータで、前記発電電力の電圧よりも高い電圧のパルス状昇圧電力に変換され、このパルス状昇圧電力を第１の整流手段で整流した第１の昇圧電力は、ショットキーダイオード等の整流手段を介すことなく直接蓄電手段に充電できるし、蓄電素子の蓄電電力は、前記第１の整流手段により、どこにも逆流することがない。しかも、昇圧型DC−ＤＣコンバータは、前記パルス状昇圧電力を第２の整流手段であるショットキーダイオード１０４で整流した第２の昇圧電力で動作を持続でき、しかも、この第２の昇圧電力は第１の昇圧電力の電圧とほぼ等しい電圧であるので、第１の昇圧電力を動作に利用する場合の従来の電子機器における昇圧型DC−ＤＣコンバータと同等の性能を得ることができる。
【００２１】
図２は、本発明の第１の実施例に係わる電子機器の昇圧型DC−ＤＣコンバータにおいて、コイルを用いて昇圧する構成例を示す概略回路ブロック図である。
【００２２】
図２に示すように、コイル２０１と、Nチャネル型MOSFET２０２と、スイッチング制御回路２０５と、第１の整流手段であるショットキーダイオード２０３と、出力電圧平滑容量２０４と、を有し、入力端子１０８は、コイル２０１の第１の電極に接続され、コイル２０１の第２の電極は、Nチャネル型MOSFET２０２のドレインとショットキーダイオード２０３のP型電極とパルス状昇圧電力出力端子１１０とに接続され、スイッチング制御回路２０５の電源端子２０７は、昇圧型DC−ＤＣコンバータ１０２の電源端子１０９に接続され、スイッチング制御回路２０５の制御端子２０６は、Nチャネル型MOSFET２０２のゲートに接続され、Nチャネル型MOSFET２０２のソースは、GND端子１０６に接続され、ショットキーダイオード２０３のN型電極は、出力端子１１１と出力電圧平滑容量２０４の第１の電極とに接続され、出力電圧平滑容量２０４の第２の電極は、GND端子１０６に接続された構成である。
【００２３】
上記構成とすることにより、従来のコイルを用いて昇圧する構成の昇圧型DC−ＤＣコンバータと同様に、昇圧型DC−ＤＣコンバータの電源端子から入力される昇圧型DC−ＤＣコンバータの昇圧電力で、スイッチング制御回路が駆動でき、このスイッチング制御回路で、Nチャネル型MOSFETのスイッチグオンデューティを制御することで、所望の昇圧電力を得ることができるのはもちろんのこと、昇圧型DC−ＤＣコンバータ内部で発生するパルス状昇圧電力を、パルス状昇圧電力出力端子から出力することが可能となる。
【００２４】
図３は、本発明の第１の実施例に係わる電子機器の昇圧型DC−ＤＣコンバータにおいて、トランスを用いて昇圧する構成例を示す概略回路ブロック図である。
【００２５】
図３に示すように、図２で示したコイルを用いて昇圧する構成例とほぼ同じ構成であり、異なる点は、図２のコイル２０１の代わりにトランス３０１を設け、トランス３０１の一次側コイルの第１の電極と第２の電極が、入力端子１０８とNチャネル型MOSFET２０２のドレインにそれぞれ接続され、トランス３０１の二次側コイルの第１の電極がショットキーダイオード２０３のP型電極とパルス状昇圧電力出力端子１１０とに接続され、トランス３０１の二次側コイルの第２の電極がGND端子１０６に接続された点である。
【００２６】
なお、上記トランスを用いて昇圧する構成の動作については、前記コイルを用いて昇圧する構成の場合で述べた構成と全く同じ動作なので、この構成の動作説明については省略する。
【００２７】
以上述べてきたように、本発明の電子機器は、従来の電子機器において、昇圧型DC−ＤＣコンバータの出力端子と蓄電素子間に蓄電電力の逆流防止用のショットキーダイオードが必要な場合に比べ、このショットキーダイオードが必要なくなるので、従来の電子機器よりも、ショットキーダイオードの順方向ドロップ電圧による充電ロスがない分、蓄電素子への充電効率が上昇し、その結果、発電電源の発電電力を効率良く蓄電素子に充電できる。
【００２８】
また、本発明の電子機器は、従来の電子機器において、昇圧型DC−ＤＣコンバータの出力端子と蓄電素子間のショットキーダイオードの代わりに、スイッチ素子を設けたり、昇圧型DC−ＤＣコンバータの出力端子から昇圧型DC−ＤＣコンバータの電源端子への電力供給経路にスイッチ素子を設けたりして、蓄電素子に充電されない場合は、このスイッチ素子をオフし、蓄電素子の蓄電電力が昇圧型DC−ＤＣコンバータの駆動に消費されるのを防止する場合に比べ、蓄電素子に充電されない場合を検出し、これらスイッチ素子を制御する機能の複雑な回路が必要なく、第２の整流手段であるショットキーダイオードと、昇圧型DC−ＤＣコンバータの電源平滑容量のみで従来の電子機器の構成と同等の性能を得ることができるので、従来の電子機器よりも、コストダウンが図れるのはもちろんのこと、上記構成の従来の電子機器では、スイッチ素子を制御する回路の消費電流や、スイッチ素子が確実に制御できない動作条件での電力ロスが生じていたが、本発明の電子機器では、複雑な制御回路やスイッチ制御が必要ないため、上記構成の従来の電子機器に比べ、本発明の電子機器の方が、発電電源の発電電力を効率良く蓄電素子に充電できるし、蓄電素子の蓄電電力を無駄に消費しなくなる。
【００２９】
なお、上記本発明の電子機器では、整流手段としてショットキーダイオードを用いたが、このショットキーダイオードの代わりにMOSFET等のスイッチ素子を用いて、逆流時にオフするような整流機能を持たせても良いし、蓄電素子の充電電圧が高い場合は、このショットキーダイオードの代わりに通常のダイオードを用いても良いことは言うまでもない。
【００３０】
さらに、上記本発明の電子機器では、昇圧型DC−ＤＣコンバータに、コイルやトランスを用いて昇圧する構成のものを用いたが、容量を用いて昇圧するチャージポンプ方式やスイッチドキャパシタ方式の昇圧回路、あるいは、ピエゾ素子を用いた昇圧回路でも、内部でパルス状昇圧電力を発生しているので、このパルス状昇圧電力を第２の整流手段で整流した第２の昇圧電力でこれら昇圧回路の動作を持続させれば、この様な昇圧回路を用いても良いことは言うまでもない。
【００３１】
図４は、本発明の第２の実施例に係わる電子機器の概略回路ブロック図である。
【００３２】
図４に示すように、図１で示した本発明の第１の実施例に係わる電子機器の構成に、蓄電素子１０３の蓄電電力が昇圧型DC−ＤＣコンバータ１０２へ逆流するのを防止する逆流防止回路４０１を設け、昇圧型DC−ＤＣコンバータ１０２の出力端子１１１と逆流防止回路４０１の入力端子４０２とが接続され、蓄電素子１０３の充電端子１１２と逆流防止回路４０１の出力端子４０３とが接続され、逆流防止回路４０１のモニター端子４０４と、第２の整流手段であるショットキーダイオード１０４のN型電極とが接続された構成となっている。
【００３３】
上記構成とすることで、昇圧型DC−ＤＣコンバータがパルス状昇圧電力出力端子から出力するパルス状昇圧電力を第２の整流手段であるショットキーダイオードで整流した第２の昇圧電力を、逆流防止回路がモニター端子でモニターすることで、蓄電素子の蓄電電力が逆流する状態を間接的にモニターし、逆流防止回路にて蓄電素子の蓄電電力が逆流する状態であると検出された場合、逆流防止回路内にあるスイッチ素子がオフされることにより、蓄電素子の蓄電電力が逆流するのを防止できる。
【００３４】
なお、上記構成の様に逆流防止回路を設けた理由は、図２や図３で示した第１の整流手段であるショットキーダイオードが、昇圧型DC−ＤＣコンバータの電力変換効率を向上させるため、順方向ドロップ電圧の低いショットキーダイオードが採用され、この採用されたショットキーダイオードの逆方向電流が多くなるためである。つまり、昇圧型DC−ＤＣコンバータが昇圧電力を発生していない場合に、第１の整流手段であるショットキーダイオードの逆方向電流により、蓄電素子の蓄電電力が逆流し消費されてしまうのを防止するためである。
【００３５】
また、前記構成の様に、前記第２の昇圧電力をモニターすることで、蓄電素子の蓄電電力が逆流する状態となったことを判断する様な構成とした理由は、前記従来の電子機器でも、上記本発明の第２の実施例の逆流防止回路と同じ位置に、逆流防止回路を設け、蓄電素子の蓄電電力が逆流する状態を、発電電源の電圧や、逆流電流を充電経路に設けた抵抗素子の電圧ドロップをモニターし検出する方法を採用していたが、発電電源の電圧をモニターする場合は、このモニターする電圧が非常に低いために、非常に複雑なモニター回路が必要であると共に、この電圧が昇圧型DC−ＤＣコンバータの変換電力量に左右されるので、モニター精度が非常に悪化する課題があり、さらに、抵抗素子の電圧ドロップをモニターする場合は、この電圧ドロップにより充電ロスが生じると共に、ドロップ電圧をモニターする回路構成が複雑になると言った課題があったが、本発明の第２の実施例では、電圧の高い第２の昇圧電力をモニターするので、簡単な回路構成の回路で第２の昇圧電力をモニターできるし、充電経路に電流モニター用の抵抗素子が必要ないため、この抵抗素子の電圧ドロップにより発生する充電ロスが生じないため、上記した様な従来の電子機器での課題が解決できるからである。
【００３６】
図５は、本発明の第２の実施例に係わる電子機器における逆流防止回路の機能を実現するための回路例を示す回路図である。
【００３７】
図５に示すように、Pチャネル型MOSFET５０１とNチャネル型MOSFET５０２と抵抗素子５０３とを有し、逆流防止回路４０１の入力端子４０２は、Pチャネル型MOSFET５０１のドレインと接続され、Pチャネル型MOSFET５０１のソースは、抵抗素子５０３の第１の電極と逆流防止回路４０１の出力端子４０３とに接続され、抵抗素子５０３の第２の電極は、Pチャネル型MOSFET５０１のゲートとNチャネル型MOSFET５０２のドレインとに接続され、Nチャネル型MOSFET５０２のゲートは逆流防止回路４０１のモニター端子４０４と接続され、Nチャネル型MOSFET５０２のソースは、GND端子１０６と接続される構成である。
【００３８】
上記構成とすることで、逆流防止回路４０１のモニター端子から入力される前記第２の昇圧電力の電圧が、Nチャネル型MOSFET５０２のしきい値電圧を超えると、Nチャネル型MOSFET５０２がオンするので、Pチャネル型MOSFET５０１のゲート電圧がロウレベルとなり、Pチャネル型MOSFET５０１がオンする。つまり、前記第２の昇圧電力の電圧が、Nチャネル型MOSFET５０２のしきい値電圧を超えると、逆流防止回路の入力端子に入力される昇圧型DC−ＤＣコンバータからの第１の昇圧電力が、逆流防止回路の出力端子を介して蓄電素子へ充電される。また、逆流防止回路４０１のモニター端子から入力される前記第２の昇圧電力の電圧が、Nチャネル型MOSFET５０２のしきい値電圧を下回ると、Nチャネル型MOSFET５０２がオフするので、Pチャネル型MOSFET５０１のゲート電圧がハイレベルとなり、Pチャネル型MOSFET５０１がオフする。つまり、前記第２の昇圧電力の電圧が、Nチャネル型MOSFET５０２のしきい値電圧を下回ると、蓄電素子の蓄電電力が、逆流防止回路の出力端子から入力端子へ逆流し、昇圧型DC−ＤＣコンバータへ逆流することが防止できる。
【００３９】
なお、上記構成の逆流防止回路では、上記したように、第２の昇圧電力の電圧が内蔵するNチャネル型MOSFETのしきい値電圧を下回ったら、蓄電素子の蓄電電力の逆流を防止するため、内蔵するNチャネル型MOSFETのしきい値電圧を調節することにより、より正確に蓄電素子の蓄電電力が逆流する状態を把握できることは言うまでもない。
【００４０】
また、図５で示す逆流防止回路の回路構成は、最低限必要な要素で構成する方法であり、前記第２の昇圧電力の電圧が所定電圧以下となったら、ロウレベル、を出力する電圧検出回路を追加し、この電圧検出回路の出力信号をNチャネル型MOSFETのゲートに入力する構成、あるいは、前記第２の昇圧電力と蓄電素子の電圧を比較し、前記第２の昇圧電力と蓄電素子の電圧差が所定電圧以下の場合にロウレベルの信号を出力する電圧比較回路を設け、この電圧比較回路の出力信号をNチャネル型MOSFTのゲートに入力する構成でも、上記した様な蓄電素子の蓄電電力が逆流するのを防止する機能を持たすことができることは言うまでもない。
【図面の簡単な説明】
【００４１】
【図１】本発明の第１の実施例に係わる電子機器の概略回路ブロック図である。
【図２】本発明の第１の実施例に係わる電子機器の昇圧型DC−ＤＣコンバータにお  いて、コイルを用いて昇圧する構成例を示す概略回路ブロック図である。
【図３】本発明の第１の実施例に係わる電子機器の昇圧型DC−ＤＣコンバータにお  いて、トランスを用いて昇圧する構成例を示す概略回路ブロック図である。
【図４】本発明の第２の実施例に係わる電子機器の概略回路ブロック図である。
【図５】本発明の第２の実施例に係わる電子機器における逆流防止回路の機能を実  現するための回路例を示す回路図である。
【図６】従来の電子機器を示す概略回路ブロック図である。
【符号の説明】
【００４２】
１０１    発電電源
１０２    昇圧型DC−ＤＣコンバータ
１０３    蓄電素子
１０４    第２の整流手段であるショットキーダイオード
１０５    電源平滑容量
２０３    第１の整流手段であるショットキーダイオード
４０１    逆流防止回路
【図１】
0004777737.tif 000002
【図２】
0004777737.tif 000003
【図３】
0004777737.tif 000004
【図４】
0004777737.tif 000005
【図５】
0004777737.tif 000006
【図６】
0004777737.tif 000007